(57)【要約】介助装置の使用に関する使用情報が、介助装置を使用した日時に関する使用時間情報、介助装置を使用した前記被介助者の識別に用いる被介助者識別情報に関連づけて記録された使用記録データを記憶する使用記録データ記憶部と、被介助者に関する情報であって、時間の経過に伴って変動し得る被介助者管理情報が、被介助者管理情報を記録した日時に関する管理時間情報、被介助者識別情報に関連づけて記録された介助記録データを記憶する介助記録データ記憶部と、使用記録データに含まれる被介助者識別情報と介助記録データに含まれる被介助者識別情報とに基づき、特定の被介助者に関する使用情報及び被介助者管理情報を抽出する抽出部と、使用時間情報及び管理時間情報に基づき、使用情報と被介助者管理情報との対応付けを行う対応付け部と、対応付けられた使用情報及び被介助者管理情報を、視認可能な態様で提示する提示部とを備える介助情報管理システム。
2020178993.tif 000002
【特許請求の範囲】
【請求項１】
被介助者の動作を介助する介助装置の使用に関する使用情報が、前記介助装置を使用した日時に関する使用時間情報、及び、前記介助装置を使用した前記被介助者の識別に用いる被介助者識別情報に関連づけて記録された使用記録データを記憶する使用記録データ記憶部と、
前記被介助者に関する情報であって、時間の経過に伴って変動し得る被介助者管理情報が、前記被介助者管理情報の時間に関する管理時間情報、及び、前記被介助者識別情報に関連づけて記録された介助記録データを記憶する介助記録データ記憶部と、
前記使用記録データに含まれる前記被介助者識別情報と、前記介助記録データに含まれる前記被介助者識別情報とに基づき、特定の前記被介助者に関する前記使用情報及び前記被介助者管理情報を抽出する抽出部と、
前記使用時間情報及び前記管理時間情報に基づき、前記抽出部が抽出した前記使用情報と前記被介助者管理情報との対応付けを行う対応付け部と、
前記対応付け部により対応付けられた前記使用情報及び前記被介助者管理情報を、視認可能な態様で提示する提示部と、
を備える介助情報管理システム。
【請求項２】
前記介助情報管理システムは、前記使用時間情報に基づき所定期間に前記介助装置が使用された回数を複数の前記所定期間について算出する回数算出部を備え、
前記対応付け部は、前記使用時間情報及び前記管理時間情報に基づき、前記介助装置が使用された回数と前記被介助者管理情報とを前記所定期間毎に対応付けし、
前記提示部は、複数の前記所定期間毎の前記介助装置が使用された回数の時系列変化と、複数の前記所定期間の各々に対応する前記被介助者管理情報の時系列変化とを対比可能な態様で表示する、請求項１に記載の介助情報管理システム。
【請求項３】
前記被介助者管理情報は、前記所定期間内での前記被介助者の身体に関する身体記録情報を含む、請求項２に記載の介助情報管理システム。
【請求項４】
前記身体記録情報は、前記被介助者の体重及び前記被介助者の血圧値の少なくとも何れか一方を含む、請求項３に記載の介助情報管理システム。
【請求項５】
前記被介助者管理情報は、前記被介助者に対し、前記所定期間内に特定の介助処置を行った回数に関する処置回数情報を含む、請求項２に記載の介助情報管理システム。
【請求項６】
前記処置回数情報は、おむつの交換回数及び薬の投与回数の少なくとも何れか一方を含む、請求項５に記載の介助情報管理システム。
【請求項７】
前記被介助者管理情報は、前記被介助者が前記所定期間内に特定の行動を行った回数に関する行動回数情報を含む、請求項２に記載の介助情報管理システム。
【請求項８】
前記行動回数情報は、トイレの回数、入浴の回数及びレクレーションの参加回数の少なくとも何れか１つを含む、請求項７に記載の介助情報管理システム。
【請求項９】
前記対応付け部は、前記使用時間情報及び前記管理時間情報に基づき、前記介助装置の一の使用に対応する前記行動を特定し、
前記提示部は、前記対応付け部が特定した前記行動を、前記介助装置の使用用途として提示する、請求項７又は８に記載の介助情報管理システム。
【発明の詳細な説明】
【技術分野】
【０００１】
本発明は、介助情報管理システムに関するものである。
【背景技術】
【０００２】
特許文献１には、被介助者の移乗動作を介助する介助装置が開示されている。この介助装置は、移乗動作の補助において、座位姿勢の被介助者の臀部を座面から上昇させる起立動作が終了した後に方向転換を行い、被介助者の臀部を下降させて着座させる着座動作を行う。これにより、被介助者は、例えばベッドから車椅子へと移乗される。
【先行技術文献】
【特許文献】
【０００３】
【特許文献１】特開２００８−０７３５０１号公報
【発明の概要】
【発明が解決しようとする課題】
【０００４】
介助装置を使用した被介助者に関して、使用前と比べてどのような変化が起きたかについて把握することは、介助者にとって難しい。この点において、介助装置の使用状況と、それに伴う被介助者の変化との関連性を容易に把握するための情報を得たいとの要請がある。【０００５】
本明細書は、被介助者による介助装置の使用状況と、それに伴う被介助者の変化との関連性を容易に把握するための情報を提示する介助情報管理システムを提供することを目的とする。
【課題を解決するための手段】
【０００６】
本明細書は、被介助者の動作を介助する介助装置の使用に関する使用情報が、前記介助装置を使用した日時に関する使用時間情報、及び、前記介助装置を使用した前記被介助者の識別に用いる被介助者識別情報に関連づけて記録された使用記録データを記憶する使用記録データ記憶部と、前記被介助者に関する情報であって、時間の経過に伴って変動し得る被介助者管理情報が、前記被介助者管理情報の時間に関する管理時間情報、及び、前記被介助者識別情報に関連づけて記録された介助記録データを記憶する介助記録データ記憶部と、前記使用記録データに含まれる前記被介助者識別情報と、前記介助記録データに含まれる前記被介助者識別情報とに基づき、特定の前記被介助者に関する前記使用情報及び前記被介助者管理情報を抽出する抽出部と、前記使用時間情報及び前記管理時間情報に基づき、前記抽出部が抽出した前記使用情報と前記被介助者管理情報との対応付けを行う対応付け部と、前記対応付け部により対応付けられた前記使用情報及び前記被介助者管理情報を、視認可能な態様で提示する提示部と、を備える介助情報管理システムを開示する。
【発明の効果】
【０００７】
本開示によれば、介助情報管理システムの使用者は、提示された使用情報及び被介助者管理情報を確認することで、被介助者による介助装置の使用状況と、それに伴う被介助者の変化との関連性を容易に把握することができる。
【図面の簡単な説明】
【０００８】
【図１】一実施形態における介助情報管理システムの模式図である。
【図２】座位姿勢の被介助者を支持する介助装置の側面図である。
【図３】起立準備姿勢の被介助者を支持する介助装置の側面図である。
【図４】立位姿勢の被介助者を支持する介助装置の側面図である。
【図５】管理装置の構成を示す図である。
【図６】使用記録データの一例を示す図である。
【図７】介助記録データである身体記録情報の一例を示す図である。
【図８】介助記録データである処置記録情報の一例を示す図である。
【図９】介助記録データである行動記録情報の一例を示す図である。
【図１０】使用情報と行動記録情報との対応付けの過程を示す図である。
【図１１】特定の被介助者における介助装置の使用回数の推移及び体重の推移に関する表示用データの一例を示す図である。
【図１２】特定の被介助者における介助装置の使用回数の推移及び血圧値の推移に関する表示用データの一例を示す図である。
【図１３】特定の被介助者における介助装置の使用回数の推移及び特定の介助処置の回数の推移に関する表示用データの一例を示す図である。
【図１４】特定の被介助者における介助装置の使用回数の推移及び特定の行動の回数の推移に関する表示用データの一例を示す図である。
【発明を実施するための形態】
【０００９】
１．介助情報管理システムの概要
介助情報管理システムは、被介助者の動作を介助する介助装置の使用に関する使用情報を使用記録データとして記録する。使用記録データには、使用した被介助者を識別可能な被介助者識別情報が、使用情報に関連付けて記録される。これにより、介助情報管理システムは、使用記録データに基づき、被介助者別の介助装置の使用履歴を把握することができる。さらに、使用記録データには、介助装置を使用した時間に関する使用時間情報が、使用情報及び被介助者識別情報に関連づけて記憶される。よって、介助情報管理システムは、使用記録データに基づき、特定の被介助者が介助装置を使用した時間を把握することができる。
【００１０】
介助情報管理システムは、さらに、被介助者に関する情報であって、時間の経過に伴って変化し得る被介助者管理情報を介助記録データとして記録する。介助記録データには、被介助者識別情報が、被介助者管理情報に関連付けて記録される。従って、介助情報管理システムは、介助記録データに基づき、被介助者毎の被介助者管理情報を把握することができる。また、介助記録データには、被介助者管理情報の時間に関する管理時間情報が、被介助者管理情報に関連づけて記憶される。よって、介助情報管理システムは、介助記録データに基づき、特定の被介助者の被介助者管理情報に関する時間を把握することができる。
【００１１】
また、介助情報管理システムは、対応付けられた使用情報及び被介助者管理情報を、視認可能な態様で提示する。このとき、介助情報システムは、使用記録データ及び介助記録データの中から、被介助者識別情報を介して紐付けられた特定の被介助者に関する使用情報及び被介助者管理情報を抽出する。さらに、介助情報管理システムは、使用時間情報及び管理時間情報に基づいて特定の被介助者に関する使用情報と被介助者管理情報との対応付けを行い、対応づけられた使用情報及び被介助者管理情報を提示する。これにより、介助情報管理システムを使用する介助者等は、提示された使用情報及び被介助者管理情報を確認することにより、被介助者による介助装置の使用状況と、それに伴う被介助者の変化との関連性を容易に把握することができる。
【００１２】
２．介助情報管理システム１の概略構成
以下、介助情報管理システムを具体化した実施形態について、図面を参照しながら説明する。最初に、図１を参照して、介助情報管理システム１の概略構成を説明する。
【００１３】
図１に示すように、介助情報管理システム１は、主として、１以上の介助装置１０と、管理サーバ９０と、１以上の管理装置１００とにより構成される。介助装置１０は、被介助者の動作を介助する際に用いられる。介助情報管理システム１において、全ての介助装置１０及び管理装置１００は、インターネットを介して管理サーバ９０に通信可能に接続され、管理装置１００は、介助情報管理システム１に設けられた全ての介助装置１０を統括管理する。
【００１４】
介助装置１０は、被介助者Ｈ（図２参照）の座位姿勢から立位姿勢への起立動作の補助、及び、立位姿勢から座位姿勢への着座動作の補助を行う。なお、被介助者Ｈの「立位姿勢」とは、被介助者Ｈの下半身が立っている姿勢を意味し、上半身の姿勢を問わない。つまり、被介助者Ｈの起立動作は、被介助者Ｈの臀部を上昇させて立位姿勢とする動作である。また、被介助者Ｈの着座動作とは、被介助者Ｈの臀部を下降させて座位姿勢とする動作である。
【００１５】
介助装置１０は、例えば、被介助者Ｈの身体の一部（例えば、被介助者Ｈの上半身）を支持して、座位姿勢にある被介助者Ｈの起立動作を補助した後に方向転換を行い、別の位置に再び着座するように着座動作を補助する移乗動作の補助を行う。このような移乗動作は、例えば居室内においてベッドと車椅子との間の移乗や、居室のベッドからトイレ室の便器との間の移乗などを目的として実行される。
【００１６】
さらに、介助装置１０は、当該使用に関する使用情報が記録された使用記録データＭ１を記憶する。使用情報は、介助装置１０が使用されたことを示す情報であり、使用記録データＭ１には、介助装置１０を使用した被介助者Ｈの識別に用いる情報、及び、介助装置１０が使用された日時に関する情報が、使用情報に関連付けて記録される。そして、介助装置１０は、記録した使用記録データＭ１を、管理サーバ９０にアップロードする。
【００１７】
管理サーバ９０は、複数の介助装置１０からアップロードされる使用記録データＭ１を記憶する。そして、管理サーバ９０は、管理装置１００の要求に応じて、使用記録データＭ１を管理装置１００に送信する。なお、管理サーバ９０は、記憶された全ての使用記録データＭ１のうち、要求に応じた一部の使用記録データＭ１のみを管理装置１００に送信することも可能である。例えば、管理サーバ９０は、特定の被介助者Ｈに関する使用記録データＭ１のみを管理装置１００に送信することも可能である。これにより、管理装置１００は、必要な情報のみを管理サーバ９０から適宜ダウンロードすることができる。
【００１８】
管理装置１００は、介助情報管理システム１に設けられた全ての介助装置１０を管理対象とし、各々の介助装置１０が記録した使用記録データＭ１を管理サーバ９０から取得し、記憶する。さらに、管理装置１００は、介助装置１０を使用する被介助者Ｈに関する情報であって、当該被介助者Ｈを介助する介助者等によって記録される介助記録データＭ２を記憶する。そして、管理装置１００は、使用記録データＭ１及び介助記録データＭ２に基づき、種々の情報を提供する。なお、管理装置１００としては、介助装置１０が導入された施設に設置されたパーソナルコンピュータや、携帯端末（スマートフォン、タブレット端末）等の端末装置が例示される。また、管理装置１００は、使用記録データＭ１に対し、介助装置１０の外部から取得した情報を追加することも可能である。
【００１９】
３．介助装置１０の構成
次に、図２を参照して、介助装置１０の構成を説明する。図２に示すように、介助装置１０は、基台２０と、駆動装置３０と、支持部材４０と、操作装置５０と、制御装置６０と、被介助者情報取得部７０とを主に備える。
【００２０】
基台２０は、フレーム２１と、支柱２２と、足載置台２３と、下腿当て部２４と、６個の車輪２５−２７とを主に備える。フレーム２１は、床面Ｆの近くにほぼ水平に設けられる。支柱２２は、フレーム２１の前寄りの左右方向の中央から上方に延伸した状態でフレーム２１に固定される。支柱２２は、床面Ｆに対して鉛直となるように設けられてもよいし、前後方向に所定角度となるように設けられてもよい。
【００２１】
足載置台２３は、水平となるようにフレーム２１の上面後方に固定される。下腿当て部２４は、足載置台２３の上方に位置するように支柱２２に固定される。下腿当て部２４は、被介助者Ｈの下腿が接触する部位にクッション部材を有する。フレーム２１の下側には、左右に３個ずつの車輪２５−２７が設けられている。各車輪２５−２７は、移動方向を転換する転舵機能を有する。介助装置１０は、６個の車輪２５−２７の転舵機能により、前後方向の移動および方向転換だけでなく、横移動（真横への移動）や超信地旋回（その場旋回）が可能となっている。
【００２２】
駆動装置３０は、被介助者Ｈの上半身を支持する支持部材４０を基台２０の上下方向及び前後方向に移動可能に支持する。駆動装置３０は、昇降部３１と、揺動部３２を備える。駆動装置３０は、制御装置６０により昇降部３１及び揺動部３２の動作を制御される。駆動装置３０は、昇降部３１の上下動及び揺動部３２の旋回動を協調させることにより、支持部材４０を所定の移動軌跡に沿って移動可能に構成される。
【００２３】
昇降部３１は、基台２０に対して上下方向に直動する。昇降部３１は、上下方向に長い長尺状に形成され、支柱２２の後面のガイド（図示しない）に案内される。昇降部３１は、直動装置（図示しない）の駆動によって支柱２２のガイドに沿って昇降する。昇降部３１の内部には、揺動部３２を旋回させるモータ（図示しない）が収容される。昇降部３１は、揺動支持部３１１を有する。揺動支持部３１１は、揺動部３２を中心軸Ａ周りに回転可能に支持する。
【００２４】
揺動部３２は、昇降部３１に設けられた中心軸Ａ周りに旋回して支持部材４０を揺動させる。揺動部３２は、揺動本体３２１と、アーム３２２と、ハンドル３２３とを備える。揺動本体３２１は、支持部材４０を着脱される取り付け部であり、アーム３２２及びハンドル３２３は、揺動本体３２１に一体的に固定される。
【００２５】
アーム３２２の一端は、昇降部３１の揺動支持部３１１の中心軸Ａ周りに回転可能に支持される。ハンドル３２３は、概ね四角形の枠形状に形成されている。アーム３２２は、モータの駆動によって回転される。介助装置１０が起立動作の補助を行う場合には、アーム３２２は、後方に延びた状態から主として前旋回する。一方で、介助装置１０が着座動作の補助を行う場合には、アーム３２２は、後方に延びる状態となるように主として後旋回する。上記のような構成により、揺動部３２は、基台２０の左右方向に平行な水平軸（中心軸Ａ）周りに旋回して、アーム３２２の先端側の揺動本体３２１に取り付けられた支持部材４０を揺動させる。
【００２６】
ハンドル３２３は、アーム３２２の後端付近から前上方向に延びるように形成されている。ハンドル３２３の側方部分は、被介助者Ｈの両手によって把持される部分として利用される。さらに、ハンドル３２３の側方部分及び前方部分は、介助者によって介助装置１０を移動させるために把持される部分として利用される。
【００２７】
支持部材４０は、被介助者Ｈの上半身を支持する部材である。支持部材４０は、胴体支持部４１と、一対の脇支持部４２とを備える。胴体支持部４１は、被介助者Ｈの胴体形状に近い面状に形成されており、柔軟な変形が可能になっている。胴体支持部４１の支持面は、被介助者Ｈの上半身のうち胴体の前面に面接触して胴体を支持する。具体的に、胴体支持部４１の支持面は、被介助者Ｈにおける胸部から腹部に亘る範囲を下方から支持する。また、胴体支持部４１は、揺動本体３２１に取り付けられている。
【００２８】
一対の脇支持部４２は、胴体支持部４１に支持され、被介助者Ｈの脇を支持する。具体的に、一対の脇支持部４２は、胴体支持部４１の左右方向両側において、胴体支持部４１に対して揺動可能に支持される。脇支持部４２は、棒状部材により、Ｌ字状に形成されている。脇支持部４２の表面は、柔軟な変形が可能な材料により覆われている。
【００２９】
操作装置５０は、介助装置１０が補助する各種動作に対応した複数のボタンを有する。操作装置５０は、上昇動作に対応する上昇ボタン５１と、下降動作に対応する下降ボタン５２とを備える。操作装置５０は、例えば伸縮可能な信号ケーブルを介して制御装置６０に接続される。操作装置５０は、何れかのボタンが押下された場合に、ボタンの種別に応じた信号をボタンが押下されている期間、制御装置６０に送出する。
【００３０】
制御装置６０は、駆動装置３０の昇降部３１及び揺動部３２の動作を制御する。制御装置６０は、被介助者Ｈの起立動作や着座動作を補助する動作処理において、操作装置５０に対する操作に基づいて、昇降部３１及び揺動部３２を動作させる。制御装置６０は、起立動作及び着座動作を実行する場合に、昇降部３１の上下動及び揺動部３２の旋回動を協調させて支持部材４０の移動を制御する。
【００３１】
上記に併せて、制御装置６０は、介助装置１０が使用されたことを示す使用情報を記録する。このとき、制御装置６０は、介助装置１０が使用された日時に関する使用時間情報を、使用情報に関連づけて記録する。例えば、制御装置６０は、上昇ボタン５１又は下降ボタン５２が押下された場合に、介助装置１０が使用されたと判定し、使用情報を記録すると共に、上昇ボタン５１又は下降ボタン５２が押下された日時を使用時間情報として記録する。
【００３２】
被介助者情報取得部７０は、介助装置１０を使用する被介助者Ｈを識別可能な被介助者識別情報を取得し、取得した被介助者識別情報を制御装置６０に送る。制御装置７０は、被介助者情報取得部７０が被介助者識別情報を取得した際、取得した被介助者識別情報を記録すると共に、当該被介助者識別情報を取得した日時を使用時間情報として記録する。また、制御装置６０は、例えば、被介助者識別情報を取得してから一定時間内に使用情報が記録された際に、当該被介助者識別情報を当該使用情報に関連付けて記録する。なお、被介助者情報取得部７０による被介助者識別情報の取得方法は、キーボードやマウス、タッチパネル、カメラ、マイクロフォン等を用いる方法が例示される。また、被介助者識別情報は、被介助者Ｈ毎に割り当てられたＩＤ情報や、被介助者の声、顔画像等が例示される。
【００３３】
例えば、被介助者Ｈは、被介助者識別情報としてのＩＤ情報を有し、被介助者情報取得部７０は、キーボードやマウス、タッチパネル等の入力装置を用いて入力されたＩＤ情報を取得する。また、被介助者情報取得部７０は、使用者として予め登録された被介助者Ｈをタッチパネル等に表示し、表示された被介助者Ｈの中から介助者等が選択した一の被介助者Ｈの被介助者識別情報を取得することも可能である。さらに、被介助者情報取得部７０は、マイクロフォンを用いて取得した被介助者Ｈの声に基づく音声認証や、カメラを用いて取得した被介助者Ｈの顔画像に基づく顔認証等の生体認証を行い、特定された被介助者Ｈの被介助者識別情報を取得することも可能である。
【００３４】
４．介助装置１０による補助動作
次に、介助装置１０の起立補助の動作について、図２から図４を参照して説明する。介助装置１０は、起立補助の動作において、図２に示す起立補助動作の開始状態から、図３に示す起立準備状態となり、その後に図４に示す起立完了状態となる。
【００３５】
図２に示すように、介助者は、座位姿勢の被介助者Ｈの近くに介助装置１０を移動させる。このとき、介助者は、介助装置１０を動作させて、座位姿勢の被介助者Ｈが乗り込むことができる状態にする。また、介助者は、被介助者Ｈの高さに応じて、昇降部３１の高さを調整する。続いて、被介助者Ｈは、両脚を支持部材４０の下側に入り込ませる。
【００３６】
次に、被介助者Ｈは、両足を足載置台２３の上に載せ、下腿を下腿当て部２４に接触させる。さらに、被介助者Ｈは、胴体を胴体支持部４１に載せる。このとき、被介助者Ｈの上半身は、支持部材４０に支持された状態において、少し前傾した姿勢となる。同時に、被介助者Ｈは、脇に脇支持部４２を挿入させる。このようにして、介助装置１０は、起立補助動作の開始状態に設定される。そして、介助者は、被介助者Ｈに、ハンドル３２３を把持させる。このときの被介助者Ｈの当該姿勢が、起立補助動作の開始姿勢である。続いて、介助者は、介助装置１０の起立補助プログラムに基づいて、介助装置１０の駆動を開始する。これにより、昇降部３１の昇降と揺動部３２の前方への傾動とが協調して行われる。
【００３７】
起立補助プログラムが実行されることにより、介助装置１０は、図３に示す起立準備状態となる。介助装置１０の起立準備状態とは、座位姿勢の被介助者Ｈを椅子Ｃから持ち上げる直前の状態である。つまり、介助装置１０は、図２に示す開始状態から、昇降部３１は下降し、且つ、揺動部３２が前傾することにより、図３に示す起立準備状態となる。ここで、介助装置１０が起立準備状態となったとき、被介助者Ｈは、臀部を椅子Ｃの座面に接触させた状態で、胴体を前傾、且つ、伸張させた状態となる。このときの被介助者Ｈの当該姿勢が、起立準備姿勢である。
【００３８】
図４に示すように、起立補助プログラムが更に継続されると、昇降部３１が上昇し、且つ、揺動部３２が更に前傾する。その結果、被介助者Ｈは、起立準備姿勢から立位姿勢となる。つまり、立位姿勢の被介助者Ｈの上半身は、大きく前傾した姿勢となり、被介助者Ｈの臀部の位置は、椅子Ｃの座面より高い位置に位置する。これにより、被介助者Ｈの脚部は、ほぼ伸びた状態となる。
【００３９】
このように、被介助者Ｈが介助装置１０に乗り込んだ状態で胴体支持部４１が前方に傾動することにより、被介助者Ｈは、座位姿勢における開始姿勢から起立準備姿勢を介して立位姿勢に移行する。また、介助装置１０の着座補助の動作は、起立補助の動作に対してほぼ逆の動作を行うことになる。つまり、胴体支持部４１が後方に傾動しつつ、昇降部３１が下降することで、被介助者Ｈを立位姿勢から座位姿勢に移行させることができる。そして、座位姿勢の被介助者Ｈは、容易に脇支持部４２を脇から抜くことができる。
【００４０】
また、介助装置１０は、制御装置６０が記録した使用情報、使用時間情報、及び、被介助者識別情報を、使用記録データＭ１として管理サーバ９０にアップロードする。このとき、使用記録データＭ１には、使用情報が被介助者識別情報及び使用時間情報に関連づけて記録される。
【００４１】
５．管理装置１００の構成
次に、図５を参照して、管理装置１００の構成を説明する。図５に示すように、管理装置１００は、記憶部１０１と、入力部１０２と、抽出部１０３と、回数算出部１０４と、対応付け部１０５と、提示部１０６と、提示用データ生成部１０７とを主に備える。
【００４２】
記憶部１０１は、ハードディスク装置等の光学ドライブ装置、又は、フラッシュメモリ等により構成される。記憶部１０１は、管理サーバ９０を介して介助装置１０から取得した使用記録データＭ１が記憶される使用記録データ記憶部１０１ａと、介助者等により記録された介助記録データＭ２が記憶される介助記録データ記憶部１０１ｂとを備える。介助記録データＭ２には、被介助者Ｈに関する被介助者管理情報が、当該被介助者管理情報の時間に関する管理時間情報、及び、被介助者Ｈが有する被介助者識別情報に関連づけて記録されている。なお、本実施形態において、介助記録データＭ２に記録される被介助者識別情報は、使用記録データＭ１に含まれる被介助者識別情報と共通であるが、使用記録データＭ１に含まれる被介助者識別情報に紐付け可能な情報であれば、使用記録データＭ１に含まれる被介助者識別情報とは異なる情報であってもよい。
【００４３】
入力部１０２は、介助情報管理システム１を使用する介助者等が操作可能な入力装置（図示せず）への入力を受け付ける。管理装置１００に設けられる入力装置は、例えば、キーボードやマウス、タッチパネル等である。介助者等は、例えば、記憶部１０１に記憶された各種データの中から特定の被介助者Ｈに関する情報を抽出する際、当該被介助者Ｈが有する被介助者識別情報を入力する。なお、入力装置は、介助記録データＭ２に新たな介助記録を追加する際に用いることも可能である。
【００４４】
抽出部１０３は、入力部１０２が被介助者識別情報を受け付けた際に、当該被介助者識別情報に関連付けられた使用記録及び使用時間情報を使用記録データＭ１から抽出する。同様に、抽出部１０３は、当該被介助者識別情報に関連づけられた被介助者管理情報及び管理時間情報を介助記録データＭ２から抽出する。
【００４５】
回数算出部１０４は、抽出部１０３が抽出した使用記録及び使用時間情報に基づき、特定の被介助者Ｈが所定期間に介助装置１０を使用した回数を算出する。例えば、抽出部１０３が、使用時間情報に基づいて一週間分の使用記録を抽出した場合に、回数算出部１０４は、当該一週間における介助装置１０の使用回数を算出する。また、回数算出部１０４は、複数の所定期間において、介助装置１０が使用された回数を算出することも可能である。例えば、抽出部１０３が、使用時間情報に基づいて四週間分の使用記録を抽出した場合に、回数算出部１０４は、当該四週間における一週間毎の介助装置１０の使用回数を算出することができる。
【００４６】
また、回数算出部１０４は、抽出部１０３が抽出した被介助者管理情報及び管理時間情報に基づき、特定の被介助者Ｈに対して介助者が行った特定の介助処置の回数、及び、特定の被介助者Ｈが特定の行動を行った回数を算出する。なお、回数算出部１０４による回数の算出は、定期的に行ってもよく、提示用データ生成部１０７が後述する提示用データを生成するタイミングで行ってもよい。
【００４７】
対応付け部１０５は、使用記録データＭ１に含まれる使用時間情報及び介助記録データＭ２に含まれる管理時間情報に基づき、抽出部１０３が抽出した特定の被介助者に関する使用情報と被介助者管理情報との対応付けを行う。例えば、対応付け部１０５は、特定の日時、又は、特定の期間における使用情報と被介助者管理情報との対応付けを行う。なお、対応付け部１０５による対応付け処理は、定期的に行ってもよく、提示用データ生成部１０７が後述する提示用データを生成するタイミングで行ってもよい。また、対応付け部１０５は、対応付け処理の結果を記憶部１０１に記憶し、提示用データ生成部１０７が提示用データを生成する際に、記憶部１０１に記憶された対応付け処理の結果を取得するようにしてもよい。
【００４８】
提示部１０６は、回数算出部１０４による各種回数の算出結果、及び、対応付け部１０５により対応付けられた使用情報及び被介助者管理情報を、視認可能な態様で表示装置１０６ａ（図２参照）に提示する。なお、提示部１０６は、表示装置１０６ａに表示する代わりに、所定の用紙に印刷することにより、各種回数の算出結果、及び、対応付けられた使用情報及び被介助者管理情報を提示することも可能である。
【００４９】
提示用データ生成部１０７は、使用情報と被介助者管理情報とを対応づけたデータとして提示部１０６が提示する提示用データを生成する。提示用データは、被介助者Ｈによる介助装置１０の使用状況と、それに伴う被介助者Ｈの変化との関連性を介助者等が容易に把握するために加工されたデータである。そして、介助者等は、提示用データを参照することにより、介助装置１０の使用によって被介助者Ｈに与えた変化を容易に把握することができる。なお、提示用データについては、具体例を挙げながら後述する。
【００５０】
６．使用記録データＭ１の具体例
次に、図６を参照して、使用記録データＭ１の具体例を説明する。図６に示す使用記録データＭ１には、使用時間情報と、被介助者識別情報と、使用情報とが含まれる。そして、使用記録データＭ１には、使用情報が、使用時間情報及び被介助者識別情報と関連付けて記録されている。なお、図６に示す使用記録データＭ１において、一連の使用情報に関連づけられた使用時間情報及び被介助者識別情報を破線で囲っている。
【００５１】
ここで、図６に示す例において、使用記録データＭ１には、被介助者Ｈの各々に割り当てられたＩＤ情報が、被介助者識別情報として記録されている。また、図６に示す例において、制御装置６０は、上昇ボタン５１が一定時間以上継続して押下された場合に、介助装置１０による起立動作の補助が行われたと判断し、使用情報を使用記録データＭ１に記録する。同様に、制御装置６０は、下降ボタン５２が一定時間以上継続して押下された場合に、介助装置１０による着座動作の補助が行われたと判断し、使用情報を使用記録データＭ１に記録する。
【００５２】
７．介助記録データＭ２の具体例
次に、図７から図９を参照して、介助記録データＭ２の具体例を説明する。介助記録データには、被介助者管理情報として、身体記録情報、処置記録情報、及び、行動記録情報が記憶されている。なお、介助情報管理システム１は、身体記録情報、処置記録情報、及び、行動記録情報を１つの介助記録データＭ２として介助記録データ記憶部１０１ｂに記憶してもよく、身体記録情報、処置記録情報、及び、行動記録情報の各々を別個の介助記録データＭ２として介助記録データ記憶部１０１ｂに記憶してもよい。ここでは、説明の便宜上、身体記録情報、処置記録情報、及び、行動記録情報が別個の介助記録データＭ２である場合を例に挙げて説明する。
【００５３】
図７に示すように、被介助者管理情報の１つである身体記録情報は、介助装置１０の使用者として登録された被介助者Ｈの身体に関する記録情報である。図７に示す介助記録データＭ２には、身体記録情報として、被介助者Ｈの体重及び血圧値が記録されている。なお、介助者等は、介助記録データＭ２に対し、体重及び血圧値以外の身体記録情報（例えば、所定のリハビリ運動を行った回数等）を記録することも可能である。また、介助記録データＭ２には、被介助者Ｈの体重及び血圧値を測定した日付が、管理時間情報として記録されている。なお、身体記録情報には、管理時間情報として、被介助者Ｈの体重及び血圧値を測定した時刻を記録することも可能である。また、介助者等は、被介助者Ｈの体重及び血圧値を測定したタイミングで身体記録情報を記録せずに、事後的に身体記録情報の記録を行うことも可能である。
【００５４】
図８に示すように、被介助者管理情報の１つである処置記録情報は、被介助者Ｈに対して介助者が行った特定の介助処置に関する記録情報である。図８に示す介助記録データＭ２には、処置記録情報として、被介助者Ｈに対しておむつ交換及び下剤の投与が行われたことが記録されている。また、介助記録データＭ２には、おむつ交換及び下剤の投与を行った日時が、管理時間情報として記録されている。なお、介助者等は、介護記録データＭ２に対し、おむつ交換及び下剤の投与以外の処置記録情報（例えば、下剤以外の薬の投与回数等）を記録することも可能である。
【００５５】
さらに、介助記録データＭ２には、被介助者Ｈに対して介助者が所定期間内に特定の介助処置を行った回数に関する処置回数情報が、被介助者管理情報の１つとして記録されている。処置回数情報は、所定期間内に記録された処置記録情報に基づいて回数算出部１０４が算出した処置回数に関する情報である。回数算出部１０４は、所定期間（例えば、１週間、１か月）内に特定の介助処置を行った回数を算出し、算出結果を処置回数情報として介助記録データＭ２に記録する。
【００５６】
図９に示すように、被介助者管理情報の１つである行動記録情報は、被介助者Ｈが行った特定の行動に関する記録情報である。なお、特定の行動とは、介助装置１０の使用を伴う行動であり、図９に示す介助記録データにおいて、特定の行動とは、トイレ、入浴、及び、レクレーションの参加であり、介助者等は、当該特定の行動が行われた場合に、行動記録情報として介助記録データＭ２に記録する。なお、介助記録データＭ２には、上記以外の行動を記録することも可能である。また、介助記録データＭ２には、特定の行動を行った日時が、管理時間情報として記録されている。
【００５７】
さらに、介助記録データＭ２には、被介助者Ｈが所定期間内に特定の行動を行った回数に関する行動回数情報が、被介助者管理情報の１つとして記録されている。行動回数情報は、所定期間内に記録された行動記録情報に基づいて回数算出部１０４が算出した行動回数に関する情報である。回数算出部１０４は、所定期間内に被介助者Ｈが特定の行動を行った回数を算出し、算出結果を行動回数情報として介助記録データＭ２に記録する。
【００５８】
８．抽出部１０３による情報抽出、及び、対応付け部１０５による対応付け
次に、抽出部１０３による情報抽出の一例について、具体例を挙げながら説明する。図６に示すように、入力部１０２が被介助者識別情報の入力を受け付けると、抽出部１０３は、入力された被介助者識別情報と、使用記録データＭ１に含まれる被介助者識別情報とを照合する。そして、抽出部１０３は、該当する被介助者識別情報に関連づけられた使用情報及び使用時間情報を使用記録データＭ１から抽出する。同様に、図７から図９に示すように、抽出部１０３は、被介助者識別情報と、介助記録データＭ２に含まれる被介助者識別情報とを照合する。そして、抽出部１０３は、該当する被介助者識別情報に関連づけられた被介助者管理情報及び管理時間情報を介助記録データＭ２から抽出する。
【００５９】
続いて、図１０を参照しながら、対応付け部１０５による対応付けの一例を説明する。ここでは、図６に示す使用記録データＭ１から抽出した使用情報と、図９に示す介助記録データＭ２から抽出した行動記録情報との対応付けを例に挙げて説明するが、使用情報と身体記録情報又は処置記録情報との対応付けも、以下に示す例と同様の流れで行われる。
【００６０】
図１０に示すように、対応付け部１０５は、使用時間情報及び管理時間情報に基づき、抽出した特定の被介助者Ｈに関する使用情報及び行動記録情報を時系列に並べる。次に、対応付け部１０５は、管理時間情報に基づき、特定の被介助者Ｈが特定の行動を行った時間帯を推定する。例えば、対応付け部１０５は、管理時間情報として記録された日時の前後１０分を、特定の被介助者Ｈが特定の行動を行った時間帯であると推定する。
【００６１】
次に、対応付け部１０５は、特定の被介助者Ｈに関する使用時間情報として記録された介助装置１０の使用日時が、当該被介助者Ｈが特定の行動を行った時間帯に含まれる場合に、当該被介助者Ｈが当該特定の行動において介助装置１０を使用したことを特定する。
【００６２】
９．提示用データの具体例
次に、図１１から図１４を参照して、提示用データの具体例を説明する。提示用データ生成部１０７は、対応付け部１０５により対応づけられた使用情報及び被介助者管理情報を、視認可能な態様に加工した提示用データを生成する。図１１から図１４には、提示部１０６が表示装置１０６ａに提示する提示用データの一例が図示されている。
【００６３】
図１１には、提示用データの一例として、特定の被介助者Ｈに関する使用情報の推移、及び、身体記録情報の１つである体重の推移に関する提示用データ１０７ａが示されている。提示用データ１０７ａは、一週間毎の介助装置１０の使用回数の推移と、一週間毎の体重の推移とを視認可能な態様で提示する。
【００６４】
図１１に示す提示用データ１０７ａを生成するにあたり、抽出部１０３は、四週間分の使用情報及び使用時間情報を使用記録データＭ１から抽出すると共に、当該四週間分の身体記録情報及び管理時間情報を介助記録データＭ２から抽出する。次に、回数算出部１０４は、抽出された使用情報及び使用時間情報に基づき、特定の被介助者Ｈによる介助装置１０の一週間毎の使用回数を算出する。その後、提示用データ生成部１０７は、回数算出部１０４による算出結果に基づき、当該使用回数の時系列変化を視認により把握可能な態様で提示するための提示用データを生成する。
【００６５】
続いて、対応付け部１０５は、使用時間情報及び管理時間情報に基づき、介助装置１０の使用回数と身体記録情報である体重の測定日との対応付けを一週間毎に行う。そして、提示用データ生成部１０７は、体重の測定値の時系列変化であって、使用回数の時系列変化に対応付けられた体重の測定値の時系列変化を、視認により把握可能な態様で提示するための提示用データを生成する。そして、提示部１０６は、使用回数の時系列変化に関する提示用データと、体重の測定値の時系列変化に関する提示用データとを、対比可能な態様で示した提示用データ１０７ａを表示装置１０６ａに提示する。
【００６６】
介助者等は、図１１に示す提示用データ１０７ａを参照することにより、介助装置１０の使用状況と体重の推移との関連性の有無を容易に把握することができる。そして、介助者等は、介助装置１０の使用状況と体重の推移との間に関連性が見られた場合に、介助装置１０の使用が体重の増減（例えば、筋力の上昇に伴う体重増加等）に効果があることに気づくことができる。
【００６７】
図１２には、提示用データの一例として、特定の被介助者Ｈに関する使用情報の推移、及び、身体記録情報の１つである血圧値の推移に関する提示用データ１０７ｂが示されている。提示用データ１０７ｂは、特定の期間における毎日の介助装置１０の使用回数の推移と、当該毎日の血圧値の推移とを視認可能な態様で提示する。なお、提示用データ１０７ｂに示す２つの折れ線グラフのうち、上側の折れ線グラフは、最高血圧の推移を示し、下側の折れ線グラフは、最低血圧の推移を示す。
【００６８】
図１２に示す提示用データ１０７ｂを生成するにあたり、抽出部１０３は、特定の期間の一週間分の使用情報及び使用時間情報を使用記録データＭ１から抽出すると共に、当該一週間分の身体記録情報及び管理時間情報を抽出する。次に、回数算出部１０４は、抽出された使用情報及び使用時間情報に基づき、特定の被介助者Ｈによる介助装置１０の毎日の使用回数を算出する。その後、提示用データ生成部１０７は、回数算出部１０４による算出結果に基づき、当該使用回数の時系列変化を、視認により把握可能な態様で提示するための提示用データを生成する。
【００６９】
続いて、対応付け部１０５は、使用時間情報及び管理時間情報に基づき、介助装置１０の使用回数と身体記録情報としての血圧値の測定日との対応付けを日毎に行う。そして、提示用データ生成部１０７は、抽出された血圧値の時系列変化であって、使用回数の時系列変化に対応付けられた血圧値の時系列変化を、視認により把握可能な態様で提示するための提示用データを生成する。そして、提示部１０６は、使用回数の時系列変化に関する提示用データと、血圧値の時系列変化に関する提示用データとを、対比可能な態様で示した提示用データ１０７ｂを表示装置１０６ａに提示する。
【００７０】
介助者等は、図１２に示す提示用データ１０７ｂを参照することにより、介助装置１０の使用状況と血圧値の推移との関連性の有無を容易に把握することができる。例えば、介助者等は、介助装置１０の使用状況と血圧値の推移との関連性が見られた場合に、介助装置１０の使用が血圧値の変化（例えば、使用回数の増加に伴う最高血圧値や最低血圧値の低下等）に効果があることに気づくことができる。
【００７１】
図１３には、提示用データの一例として、特定の被介助者Ｈに関する使用情報、及び、処置記録情報の推移に関する提示用データ１０７ｃが示されている。提示用データ１０７ｃは、一週間毎の介助装置１０の使用回数の推移と、一週間毎のおむつ交換回数及び下剤の投与回数の推移とを視認可能な態様で提示する。なお、図１３に示す２つの棒グラフのうち、左側のグラフは、おむつの交換回数を示し、右側のグラフは、下剤の投与回数を示す。
【００７２】
図１３に示す提示用データを生成するにあたり、抽出部１０３は、四週間分の使用情報及び使用時間情報を使用記録データＭ１から抽出すると共に、当該四週間分の処置記録情報及び管理時間情報を抽出する。続いて、回数算出部１０４は、抽出された使用情報及び使用時間情報に基づき、特定の被介助者Ｈによる介助装置１０の一週間毎の使用回数を算出する。その後、提示用データ生成部１０７は、回数算出部１０４による算出結果に基づき、当該使用回数の時系列変化を、視認により把握可能な態様で提示するための提示用データを生成する。
【００７３】
次に、対応付け部１０５は、使用時間情報及び管理時間情報に基づき、介助装置１０の使用回数と処置記録情報の記録日との対応付けを一週間毎に行う。そして、提示用データ生成部１０７は、抽出された処置記録情報であるおむつ交換回数及び下剤の投与回数の時系列変化であって、使用回数の時系列変化に対応付けられたおむつ交換回数及び下剤の投与回数の時系列変化を、視認により把握可能な態様で提示するための提示用データを生成する。そして、提示部１０６は、使用回数の時系列変化に関する提示用データと、おむつ交換回数及び下剤の投与回数の時系列変化に関する提示用データとを、対比可能な態様で示した提示用データ１０７ｃを表示装置１０６ａに提示する。
【００７４】
介助者等は、図１３に示す提示用データ１０７ｃを参照することにより、介助装置１０の使用状況とおむつ交換回数及び下剤の投与回数の推移との関連性の有無を容易に把握することができる。例えば、介助者等は、介助装置１０の使用状況とおむつ交換回数及び下剤の投与回数との関連性が見られた場合に、介助装置１０の使用がおむつ交換回数及び下剤の投与回数の変化（介助装置１０の使用回数増加に伴うおむつ交換回数や下剤の投与回数の減少等）に効果があることに気づくことができる。
【００７５】
図１４には、提示用データの一例として、特定の被介助者Ｈに関する使用情報、及び、行動記録情報の推移に関する提示用データ１０７ｄが示されている。提示用データ１０７ｄは、特定の日において被介助者Ｈが特定の行動を行った時間帯を視認可能な態様で提示する。なお、提示用データ１０７ｄには、トイレに行った時間帯、浴室に行った（入浴した）時間帯、レクレーションに参加した時間帯が、特定の行動を行った時間帯として示されている。また、提示用データ１０７ｄで挙げた特定の日は、何れも同じ介助スケジュール（入浴及びレクレーションの時間帯が同じ）が設定された日である。なお、提示用データ１０７ｄは、二週間毎の介助装置１０の使用回数、及び、トイレの回数、入浴の回数、レクレーションの参加回数を示す提示用データを含む。
【００７６】
図１４に示す提示用データ１０７ｄを生成するにあたり、抽出部１０３は、二か月分の使用情報及び使用時間情報を使用記録データＭ１から抽出する。続いて、回数算出部１０４は、抽出された使用情報及び使用時間情報に基づき、特定の被介助者Ｈによる介助装置１０の二週間毎の使用回数を算出する。また、抽出部１０３は、当該二か月分の行動記録情報及び管理時間情報を介助記録データＭ２から抽出し、回数算出部１０４は、抽出された行動記録情報及び管理時間情報に基づき、特定の被介助者Ｈによる二週間毎の特定行動の回数を算出する。その後、提示用データ生成部１０７は、回数算出部１０４による算出結果を、視認により把握可能な態様で提示するための提示用データを生成する。
【００７７】
また、抽出部１０３は、抽出した二か月分の使用情報及び使用時間情報から特定の日における使用情報及び使用時間情報を抽出すると共に、当該二か月分の行動記録情報及び管理時間情報から当該特定の日における行動記録情報及び管理時間情報を抽出する。次に、対応付け部１０５は、使用時間情報及び管理時間情報に基づき、介助装置１０の使用回数と行動記録情報の記録日との対応付けを日毎に行い、介助装置１０の一の使用に対応する行動を特定する。そして、提示用データ生成部１０７は、対応付け部が特定した行動を、介助装置１０の使用用途として提示するための提示用データを生成する。
【００７８】
そして、提示部１０６は、介助装置１０の使用回数及び特定行動の回数に関する提示用データと、介助装置１０の使用用途に関する提示用データとを、対比可能な態様で示した提示用データ１０７ｄを表示装置１０６ａに提示する。
【００７９】
介助者等は、図１４に示す提示用データ１０７ｄを参照することにより、介助装置１０の使用状況推移と特定行動を行った回数の推移との関連性の有無を容易に把握することができる。例えば、介助者等は、介助装置１０の使用回数の推移とトイレの回数の推移との関連性が見られた場合に、介助装置１０の使用によるトイレ回数の変化（介助者への負担が軽減されることで、トイレに気兼ねなく行きやすくなる等）に効果があることに気付くことができる。
【００８０】
以上説明したように、介助情報管理システム１は、被介助者識別情報、使用時間情報及び管理時間情報を介して対応付けられた使用情報及び被介助者管理情報を視認可能な態様で提示する。これにより、介助情報管理システム１を使用する介助者等は、対応付けられた使用情報及び被介助者管理情報を確認することにより、被介助者Ｈによる介助装置の使用状況と、それに伴う被介助者Ｈの変化との関連性を容易に把握することができる。その結果、介助者等は、介助装置１０を使用することによって被介助者Ｈにもたらす効果を把握することができる。
【００８１】
また、介助情報管理システム１において、提示部１０６は、複数の所定期間毎の介助装置１０が使用された回数の時系列変化と、当該複数の所定期間の各々に対応する被介助者管理情報の時系列変化を対比可能な態様で提示する。これにより、介助情報管理システム１は、介助装置１０の使用回数と、使用回数の増減に伴う被介助者Ｈとの関連性を容易に把握することができる。
【００８２】
１２．実施形態の変形態様
実施形態において、管理装置１００は、管理サーバ９０を介して介助装置１０が記録した使用記録データＭ１を取得した。これに対して、管理装置１００は、例えば、ＬＡＮを通じて介助装置１０と直接通信することにより使用記録データＭ１を取得してもよい。さらに、介助情報管理システム１は、管理装置１００の構成の一部を、介助装置１０又は管理サーバ９０の構成としてもよい。例えば、介助情報管理システム１は、介助装置１０又は管理サーバ９０において提示用データを生成し、生成された提示用データを管理装置１００の記憶部１０１に記憶する構成とすることも可能である。
【符号の説明】
【００８３】
１：介助情報管理システム、  １０：介助装置、  １０１ａ：使用記録データ記憶部、１０１ｂ：介助記録データ記憶部、  １０３：抽出部、  １０４：回数算出部、  １０５：対応付け部、  １０６：提示部、  Ｈ：被介助者、  Ｍ１：使用記録データ、  Ｍ２：介助記録データ
【図１】
2020178993.tif 000003
【図２】
2020178993.tif 000004
【図３】
2020178993.tif 000005
【図４】
2020178993.tif 000006
【図５】
2020178993.tif 000007
【図６】
2020178993.tif 000008
【図７】
2020178993.tif 000009
【図８】
2020178993.tif 000010
【図９】
2020178993.tif 000011
【図１０】
2020178993.tif 000012
【図１１】
2020178993.tif 000013
【図１２】
2020178993.tif 000014
【図１３】
2020178993.tif 000015
【図１４】
2020178993.tif 000016
【国際調査報告】
2020178993.tif 000017
2020178993.tif 000018